(57)【特許請求の範囲】
【請求項１】
枠体内に少なくとも方形状の反射シート，導光板及びプリズムシートを順次重ねて収容すると共に、前記導光板の側面側に光源を収容し、この光源の光を前記導光板及び前記プリズムシートを介して前記プリズムシート上に重ねられる液晶表示パネルユニットの液晶表示パネルに照射するサイドライト型面光源装置において、
前記枠体を、
前記反射シート，前記導光板及び前記プリズムシートの一端側を支持すると共に前記光源を支持する第１の支持フレームと、
前記反射シート，前記導光板及び前記プリズムシートの他端側を支持する第２の支持フレームと、
前記導光板の前記光源を配置しない対向する側面にそれぞれ配置して、前記第１の支持フレームと前記第２の支持フレームを連結固定するサイドフレームと、前記サイドフレームに固定して、前記液晶表示パネルを支持する液晶表示パネルユニット取付部材と、
に分割したことを特徴とするサイドライト型面光源装置。
【請求項２】
枠体内に少なくとも方形状の反射シート，導光板及びプリズムシートを順次重ねて収容すると共に、前記導光板の側面側に光源を収容し、前記プリズムシートの上に液晶表示パネルユニットの液晶表示パネルを重ねて配置し、前記液晶表示パネルユニットを前記枠体に取り付けて、前記光源の光を前記導光板及び前記プリズムシートを介して前記液晶表示パネルに照射する液晶表示装置において、
前記枠体を、
前記反射シート，前記導光板及び前記プリズムシートの一端側を支持すると共に前記光源を支持する第１の支持フレームと、
前記反射シート，前記導光板及び前記プリズムシートの他端側を支持する第２の支持フレームと、
前記導光板の前記光源を配置しない対向する側面にそれぞれ配置して、前記第１の支持フレームと前記第２の支持フレームを連結固定するサイドフレームと、前記サイドフレームに固定して、前記液晶表示パネルを支持する液晶表示パネルユニット取付部材と、
に分割したことを特徴とする液晶表示装置。
【請求項３】
枠体内に少なくとも方形状の反射シート，導光板及びプリズムシートを順次重ねて収容すると共に、前記導光板の側面側に光源を収容し、この光源の光を前記導光板及び前記プリズムシートを介して前記プリズムシート上に重ねられる液晶表示パネルユニットの液晶表示パネルに照射するサイドライト型面光源装置において、
前記枠体を、
前記反射シート，前記導光板及び前記プリズムシートの一端側を支持すると共に前記光源を支持する第１の支持フレームと、
前記反射シート，前記導光板及び前記プリズムシートの他端側を支持する第２の支持フレームと、
前記導光板の前記光源を配置しない対向する側面にそれぞれ配置して、前記第１の支持フレームと前記第２の支持フレームを連結固定すると共に前記液晶表示パネルユニットを支持するサイドフレームと、
に分割したことを特徴とするサイドライト型面光源装置。
【請求項４】
枠体内に少なくとも方形状の反射シート，導光板及びプリズムシートを順次重ねて収容すると共に、前記導光板の側面側に光源を収容し、前記プリズムシートの上に液晶表示パネルユニットの液晶表示パネルを重ねて配置し、前記液晶表示パネルユニットを前記枠体に取り付けて、前記光源の光を前記導光板及び前記プリズムシートを介して前記液晶表示パネルに照射する液晶表示装置において、
前記枠体を、
前記反射シート，前記導光板及び前記プリズムシートの一端側を支持すると共に前記光源を支持する第１の支持フレームと、
前記反射シート，前記導光板及び前記プリズムシートの他端側を支持する第２の支持フレームと、
前記導光板の前記光源を配置しない対向する側面にそれぞれ配置して、前記第１の支持フレームと前記第２の支持フレームを連結固定すると共に前記液晶表示パネルユニットを支持するサイドフレームと、
に分割したことを特徴とする液晶表示装置。
【請求項５】
方形状の導光板の側面側に光源を配置し、前記導光板の表面側にプリズムシートを配置し、前記導光板の裏面側に反射シートを配置して、前記導光板の側面から前記導光板の内部に取り入れた前記光源の光を前記導光板の表面から前記プリズムシートを介して前記プリズムシート上に配置されえる液晶表示パネルユニットの液晶表示パネルに向けて出射するサイドライト型面光源装置において、
前記光源を配置しない前記導光板の対向する側面に、フレーム取付用突起をそれぞれ形成し、
このフレーム取付用突起に液晶表示パネルユニット取付用フレームを締着し、この液晶表示パネルユニット取付用フレームの一端側に、前記光源を支持すると共に前記反射シート，前記導光板及び前記プリズムシートの一端側を支持する第１の支持フレームを固定し、
前記光源を配置する前記導光板の側面と対向する側面の両端部側に、支持フレーム取付用突起をそれぞれ形成し、
この支持フレーム取付用突起に前記反射シートの他端側を支持する第２の支持フレームを締着することを特徴とするサイドライト型面光源装置。
【請求項６】
方形状の導光板の側面側に光源を配置し、前記導光板の表面側にプリズムシートを介して液晶表示パネルユニットの液晶表示パネルを配置し、前記導光板の裏面側に反射シートを配置して、前記導光板の側面から前記導光板の内部に取り入れた前記光源の光を前記導光板の表面から前記プリズムシートを介して前記液晶表示パネルに向けて出射する液晶表示装置において、
前記光源を配置しない前記導光板の対向する側面に、フレーム取付用突起をそれぞれ形成し、
このフレーム取付用突起に液晶表示パネルユニット取付用フレームを締着し、この液晶表示パネルユニット取付用フレームの一端側に、前記光源を支持すると共に前記反射シート，前記導光板及び前記プリズムシートの一端側を支持する第１の支持フレームを固定し、
前記光源を配置する前記導光板の側面と対向する側面の両端部側に、支持フレーム取付用突起をそれぞれ形成し、
この支持フレーム取付用突起に前記反射シートの他端側を支持する第２の支持フレームを締着することを特徴とする液晶表示装置。
【請求項７】
方形状の導光板の側面側に光源を配置し、前記導光板の表面側にプリズムシートを配置し、前記導光板の裏面側に反射シートを配置して、前記導光板の側面から前記導光板の内部に取り入れた前記光源の光を前記導光板の表面から前記プリズムシートを介して前記プリズムシート上に配置されえる液晶表示パネルユニットの液晶表示パネルに向けて出射するサイドライト型面光源装置において、
前記光源を配置しない前記導光板の対向する側面に、フレーム取付用突起をそれぞれ形成し、
このフレーム取付用突起に液晶表示パネルユニット取付用フレームを締着し、この液晶表示パネルユニット取付用フレームの一端側に、前記光源を支持すると共に前記反射シート，前記導光板及び前記プリズムシートの一端側を支持する第１の支持フレームを固定し、
前記液晶表示パネルユニット取付用フレームの他端側に、前記反射シート，前記導光板及び前記プリズムシートの他端側を支持する第２の支持フレームを固定することを特徴とするサイドライト型面光源装置。
【請求項８】
方形状の導光板の側面側に光源を配置し、前記導光板の表面側にプリズムシートを介して液晶表示パネルユニットの液晶表示パネルを配置し、前記導光板の裏面側に反射シートを配置して、前記導光板の側面から前記導光板の内部に取り入れた前記光源の光を前記導光板の表面から前記プリズムシートを介して前記液晶表示パネルに向けて出射する液晶表示装置において、
前記光源を配置しない前記導光板の対向する側面に、フレーム取付用突起をそれぞれ形成し、
このフレーム取付用突起に液晶表示パネルユニット取付用フレームを締着し、この液晶表示パネルユニット取付用フレームの一端側に、前記光源を支持すると共に前記反射シート，前記導光板及び前記プリズムシートの一端側を支持する第１の支持フレームを固定し、
前記液晶表示パネルユニット取付用フレームの他端側に、前記反射シート，前記導光板及び前記プリズムシートの他端側を支持する第２の支持フレームを固定することを特徴とする液晶表示装置。
【発明の詳細な説明】
【０００１】
【発明の属する技術分野】
この発明は、液晶表示パネルユニットと組み合わせて使用され、液晶表示パネルを照明するサイドライト型面光源装置及びこのサイドライト型面光源装置を備えた液晶表示装置に関する。
【０００２】
【従来の技術】
近年、液晶表示装置を使用した携帯用のパーソナルコンピュータ等においては、持ち運びし易くするために軽量化・薄型化が図られており、その構成部品である液晶表示装置、とりわけ液晶表示装置を構成するサイドライト型面光源装置の軽量化・薄型化の努力が重ねて行われている。
【０００３】
図１０は、このようなサイドライト型面光源装置６０を示すものである。このサイドライト型面光源装置６０は、ポリカーボネイト等の合成樹脂で形成されたフレーム（枠体）６１内に、方形状の反射シート６２，導光板６３，拡散シート６４，２枚のプリズムシート６５，６６及び保護シート６７が順次重ねて収容されている。そして、導光板６３の側面側には、冷陰極管等の棒状光源６８が収容されている。ここで、上下２枚のプリズムシート６５，６６は、互いのプリズムの形成方向が略直交するようになっており、光が効率的に図中上方へ向かうように構成されている。尚、保護シート６７の上には液晶表示パネルユニットの液晶表示パネル７０が重ねて配置されるようになっている。
【０００４】
このように構成されたサイドライト型面光源装置６０は、棒状光源６８の光が導光板６３の側面からその内部に取り込まれ、導光板６３内を伝播する光が導光板６３の表面から拡散シート６４，２枚のプリズムシート６５，６６及び保護シート６７を介して出射し、その出射した光が液晶表示パネル７０を照らすようになっている。
【０００５】
【発明が解決しようとする課題】
しかしながら、このようなサイドライト型面光源装置６０は、軽量化・薄型化を図るため、図１１に示すように、フレーム６１が薄肉で且つ細く、複雑な形状に肉抜きされたフレーム６１全体が一体的に射出成形されている。そのため、このようなサイドライト型面光源装置６０は、フレーム６１を成形するための金型の製作が難しくなり、金型の製作費用が嵩み、ひいては装置６０自体の価格の高騰を将来することになる。
【０００６】
又、上記したように、サイドライト型面光源装置６０は、フレーム６１が薄肉で且つ細い複雑な形状で以て一体的に射出成形されるようになっているため、フレーム６１自体の製作が難しくなってきた。
【０００７】
尚、上記のような課題を解消するものとして、導光板の側面に、外部固定用の取付部が形成されたプラスチック製のブラケットを両面テープ等の粘着材料で固定する技術が既に案出されている（特開平１０−９６９２１号公報参照）。しかし、このような従来技術は、ブラケットを固定する粘着材料の部分から光が漏れるという新たな問題を将来する虞のあることが指摘されている。
【０００８】
本発明は、このような従来技術の問題点を解消することを目的として案出されたものである。
【０００９】
【課題を解決するための手段】
請求項１の発明は、枠体内に少なくとも方形状の反射シート，導光板及びプリズムシートを順次重ねて収容すると共に、前記導光板の側面側に光源を収容し、この光源の光を前記導光板及び前記プリズムシートを介して前記プリズムシート上に重ねられる液晶表示パネルユニットの液晶表示パネルに照射するサイドライト型面光源装置である。そして、本発明は、前記枠体を、前記反射シート，前記導光板及び前記プリズムシートの一端側を支持すると共に前記光源を支持する第１の支持フレームと、前記反射シート，前記導光板及び前記プリズムシートの他端側を支持する第２の支持フレームと、前記導光板の前記光源を配置しない対向する側面にそれぞれ配置して、前記第１の支持フレームと前記第２の支持フレームを連結固定するサイドフレームと、前記サイドフレームに固定して、前記液晶表示パネルを支持する液晶表示パネルユニット取付部材と、に分割したことを特徴としている。
【００１０】
このような構成の本発明によれば、薄肉のフレームを複数のパーツに分割して成形することができ、フレームの成形が容易になると共に、フレームの成形用の金型が小型化し、金型の製作が容易になる。したがって、本発明によれば、サイドライト型面光源装置の価格の低廉化を図ることが可能になる。又、本発明は、フレームを導光板に粘着材料で固定する構成でないため、粘着材料を原因とする光の漏れがなく、光源の光を効率的に利用できる。加えて、本発明は、サイドフレームと液晶表示パネルユニット取付部材を分割してあるため、液晶表示パネルの大きさが変わっても、液晶表示パネルユニット取付部材を共通部品として利用することが可能になる。
【００１１】
請求項２の発明は、枠体内に少なくとも方形状の反射シート，導光板及びプリズムシートを順次重ねて収容すると共に、前記導光板の側面側に光源を収容し、前記プリズムシートの上に液晶表示パネルユニットの液晶表示パネルを重ねて配置し、前記液晶表示パネルユニットを前記枠体に取り付けて、前記光源の光を前記導光板及び前記プリズムシートを介して前記液晶表示パネルに照射する液晶表示装置である。そして、本発明は、前記枠体を、前記反射シート，前記導光板及び前記プリズムシートの一端側を支持すると共に前記光源を支持する第１の支持フレームと、前記反射シート，前記導光板及び前記プリズムシートの他端側を支持する第２の支持フレームと、前記導光板の前記光源を配置しない対向する側面にそれぞれ配置して、前記第１の支持フレームと前記第２の支持フレームを連結固定するサイドフレームと、前記サイドフレームに固定して、前記液晶表示パネルを支持する液晶表示パネルユニット取付部材と、に分割したことを特徴としている。
【００１２】
このような構成の本発明によれば、薄肉のフレームを複数のパーツに分割して成形することができ、フレームの成形が容易になると共に、フレームの成形用の金型が小型化し、金型の製作が容易になる。したがって、本発明によれば、液晶表示装置の価格の低廉化を図ることが可能になる。又、本発明は、フレームを導光板に粘着材料で固定する構成でないため、粘着材料を原因とする光の漏れがなく、光源の光を効率的に利用でき、液晶表示パネルの明るさをアップすることが可能になる。加えて、本発明は、サイドフレームと液晶表示パネルユニット取付部材を分割してあるため、液晶表示パネルの大きさが変わっても、液晶表示パネルユニット取付部材を共通部品として利用することが可能になる。
【００１３】
請求項３の発明は、枠体内に少なくとも方形状の反射シート，導光板及びプリズムシートを順次重ねて収容すると共に、前記導光板の側面側に光源を収容し、この光源の光を前記導光板及び前記プリズムシートを介して前記プリズムシート上に重ねられる液晶表示パネルユニットの液晶表示パネルに照射するサイドライト型面光源装置である。そして、本発明は、前記枠体を、前記反射シート，前記導光板及び前記プリズムシートの一端側を支持すると共に前記光源を支持する第１の支持フレームと、前記反射シート，前記導光板及び前記プリズムシートの他端側を支持する第２の支持フレームと、前記導光板の前記光源を配置しない対向する側面にそれぞれ配置して、前記第１の支持フレームと前記第２の支持フレームを連結固定すると共に前記液晶表示パネルユニットを支持するサイドフレームと、に分割したことを特徴としている。即ち、本発明は、請求項１のサイドフレームと液晶表示パネルユニット取付部材を一体化した点に特徴を有する。
【００１４】
このような構成の本発明によれば、請求項１の発明に比較して部品点数を削減することが可能になる。
【００１５】
請求項４の発明は、枠体内に少なくとも方形状の反射シート，導光板及びプリズムシートを順次重ねて収容すると共に、前記導光板の側面側に光源を収容し、前記プリズムシートの上に液晶表示パネルユニットの液晶表示パネルを重ねて配置し、前記液晶表示パネルユニットを前記枠体に取り付けて、前記光源の光を前記導光板及び前記プリズムシートを介して前記液晶表示パネルに照射する液晶表示装置である。そして、本発明は、前記枠体を、前記反射シート，前記導光板及び前記プリズムシートの一端側を支持すると共に前記光源を支持する第１の支持フレームと、前記反射シート，前記導光板及び前記プリズムシートの他端側を支持する第２の支持フレームと、前記導光板の前記光源を配置しない対向する側面にそれぞれ配置して、前記第１の支持フレームと前記第２の支持フレームを連結固定すると共に前記液晶表示パネルユニットを支持するサイドフレームと、に分割したことを特徴としている。即ち、本発明は、請求項２のサイドフレームと液晶表示パネルユニット取付部材を一体化した点に特徴を有する。
【００１６】
このような構成の本発明によれば、請求項２の発明に比較して部品点数を削減することが可能になる。
【００１７】
請求項５の発明は、方形状の導光板の側面側に光源を配置し、前記導光板の表面側にプリズムシートを配置し、前記導光板の裏面側に反射シートを配置して、前記導光板の側面から前記導光板の内部に取り入れた前記光源の光を前記導光板の表面から前記プリズムシートを介して前記プリズムシート上に配置されえる液晶表示パネルユニットの液晶表示パネルに向けて出射するサイドライト型面光源装置である。そして、本発明は、前記光源を配置しない前記導光板の対向する側面に、フレーム取付用突起をそれぞれ形成し、このフレーム取付用突起に液晶表示パネルユニット取付用フレームを締着し、この液晶表示パネルユニット取付用フレームの一端側に、前記光源を支持すると共に前記反射シート，前記導光板及び前記プリズムシートの一端側を支持する第１の支持フレームを固定し、前記光源を配置する前記導光板の側面と対向する側面の両端部側に、支持フレーム取付用突起をそれぞれ形成し、この支持フレーム取付用突起に前記反射シートの他端側を支持する第２の支持フレームを締着することを特徴としている。ここで、締着とは、部材同士をねじ止めしたり、一方の部材の弾性部材で他方の部材を弾性的に挟みつけて固定することをいう。
【００１８】
このような構成の本発明によれば、請求項１の発明と同様に、フレームを複数のパーツに分解し、フレームを成形し易くしてあるため、金型の製作費用を低減することができ、安価なサイドライト型面光源装置を提供することが可能になる。又、本発明は、剛性の高い導光板にフレームを固定することができ、フレーム自体の剛性を高めることが可能になる。
【００１９】
請求項６の発明は、方形状の導光板の側面側に光源を配置し、前記導光板の表面側にプリズムシートを介して液晶表示パネルユニットの液晶表示パネルを配置し、前記導光板の裏面側に反射シートを配置して、前記導光板の側面から前記導光板の内部に取り入れた前記光源の光を前記導光板の表面から前記プリズムシートを介して前記液晶表示パネルに向けて出射する液晶表示装置である。そして、本発明は、前記光源を配置しない前記導光板の対向する側面に、フレーム取付用突起をそれぞれ形成し、このフレーム取付用突起に液晶表示パネルユニット取付用フレームを締着し、この液晶表示パネルユニット取付用フレームの一端側に、前記光源を支持すると共に前記反射シート，前記導光板及び前記プリズムシートの一端側を支持する第１の支持フレームを固定し、前記光源を配置する前記導光板の側面と対向する側面の両端部側に、支持フレーム取付用突起をそれぞれ形成し、この支持フレーム取付用突起に前記反射シートの他端側を支持する第２の支持フレームを締着することを特徴としている。
【００２０】
このような構成の本発明によれば、請求項２の発明と同様に、フレームを複数のパーツに分解し、フレームを成形し易くしてあるため、金型の製作費用を低減することができ、安価な液晶表示装置を提供することが可能になる。又、本発明は、剛性の高い導光板にフレームを固定することができ、フレーム自体の剛性を高めることが可能になる。
【００２１】
請求項７の発明は、方形状の導光板の側面側に光源を配置し、前記導光板の表面側にプリズムシートを配置し、前記導光板の裏面側に反射シートを配置して、前記導光板の側面から前記導光板の内部に取り入れた前記光源の光を前記導光板の表面から前記プリズムシートを介して前記プリズムシート上に配置されえる液晶表示パネルユニットの液晶表示パネルに向けて出射するサイドライト型面光源装置である。そして、前記光源を配置しない前記導光板の対向する側面に、フレーム取付用突起をそれぞれ形成し、このフレーム取付用突起に液晶表示パネルユニット取付用フレームを締着し、この液晶表示パネルユニット取付用フレームの一端側に、前記光源を支持すると共に前記反射シート，前記導光板及び前記プリズムシートの一端側を支持する第１の支持フレームを固定し、前記液晶表示パネルユニット取付用フレームの他端側に、前記反射シート，前記導光板及び前記プリズムシートの他端側を支持する第２の支持フレームを固定することを特徴としている。
【００２２】
このような構成の本発明によれば、第２の支持フレームを導光板に固定する請求項５の発明に比較して、導光板の形状を単純化することが可能になる。
【００２３】
請求項８の発明は、方形状の導光板の側面側に光源を配置し、前記導光板の表面側にプリズムシートを介して液晶表示パネルユニットの液晶表示パネルを配置し、前記導光板の裏面側に反射シートを配置して、前記導光板の側面から前記導光板の内部に取り入れた前記光源の光を前記導光板の表面から前記プリズムシートを介して前記液晶表示パネルに向けて出射する液晶表示装置である。そして、前記光源を配置しない前記導光板の対向する側面に、フレーム取付用突起をそれぞれ形成し、このフレーム取付用突起に液晶表示パネルユニット取付用フレームを締着し、この液晶表示パネルユニット取付用フレームの一端側に、前記光源を支持すると共に前記反射シート，前記導光板及び前記プリズムシートの一端側を支持する第１の支持フレームを固定し、前記液晶表示パネルユニット取付用フレームの他端側に、前記反射シート，前記導光板及び前記プリズムシートの他端側を支持する第２の支持フレームを固定することを特徴としている。
【００２４】
このような構成の本発明は、第２の支持フレームを導光板に固定する請求項６の発明に比較して、導光板の形状を単純化することが可能になる。
【００２５】
【発明の実施の形態】
以下、本発明の実施の形態を図面に基づき詳述する。
【００２６】
［第１の実施の形態］
図１は、本発明の第１の実施の形態に係るサイドライト型面光源装置１の分解斜視図である。又、図２は、同サイドライト型面光源装置１のフレーム２の組立状態を示す平面図である。更に、図３は、同サイドライト型面光源装置２の組立状態を示す断面図である。
【００２７】
これらの図に示すように、本実施の形態のサイドライト型面光源装置１は、フレーム（枠体）２の内部に、方形状の反射シート３，導光板４，拡散シート５，第１のプリズムシート６，第２のプリズムシート７及び保護シート８が順に重ねて収容されるようになっている。又、フレーム２の内部には、断面くさび形に形成された導光板４の一方の側面４ａ側（図３中右側）に位置するように、棒状光源１０及びこの棒状光源１０を囲うリフレクター１１が収容されている。尚、保護シート８の上面側には、液晶表示パネルユニットの液晶表示パネル１２が配置され、液晶表示装置１３が構成されるようになっている（図３参照）。
【００２８】
ここで、第１のプリズムシート６は、その上面全体に棒状光源１０と略平行に略三角状の突起６ａが複数形成されている。又、第２のプリズムシート７は、その上面全体に上記第１のプリズムシート６の略三角状の突起６ａと略直交する方向へ延びる略三角状の突起７ａが複数形成されている。これにより、棒状光源１０の光は、図３中上方へ向けて効率的に出射される。そして、導光板４の出射面（上面）４ｂと反対の裏面（下面）４ｃのいずれか一方又は両方には、シボ面や梨地面が適宜形成されており、棒状光源１０の光が導光板４の出射面４ｂから均一に出射するように工夫されている。
【００２９】
フレーム２は、第１の支持フレーム１４，第２の支持フレーム１５，一対のサイドフレーム１６ａ，１６ｂ，液晶表示パネルユニット取付部材１７ａ，１７ｂ及び補助フレーム１８の各パーツに分割されており（図１参照）、これら各パーツが各別に形成された後に組み立てられるようになっている（図２，図３参照）。尚、液晶表示パネルユニット取付部材１７ａ，１７ｂは、各サイドフレーム１６ａ，１６ｂに一対取り付けられるようになっている。
【００３０】
このうち、第１の支持フレーム１４は、図１及び図３に示すように断面略逆Ｌ字形状に形成されており、反射シート３，導光板４，拡散シート５，第１・第２のプリズムシート６，７及び保護シート８の一端側を支持すると共に、棒状光源１０及びリフレクター１１を支持するようになっている。この第１の支持フレーム１４の底面１４ａには、第１の支持フレーム１４の背面１４ｂ側に突出する爪２０を備えた板状のバネ部材２１が取り付けられている。この板状のバネ部材２１は、爪２０と第１の支持フレーム１４の背面１４ｂとの間にカバー２２の下端部２２ａを挟持するようになっている。尚、カバー２２は、板状のバネ部材２１の爪２０の弾性力で第１の支持フレーム１４に固定されるようになっており、第１の支持フレーム１４への着脱が容易にできるように工夫されている。又、カバー２２は、第１の支持フレーム１４に組み付けられることにより、第１の支持フレーム１４と共に断面略コ字形状の構造体を構成し、保護シート８の一端側の上面を押さえるようになっている。
【００３１】
第２の支持フレーム１５は、上記第１の支持フレーム１４と対向する位置に配置され、反射シート３，導光板４，拡散シート５，第１・第２のプリズムシート６，７及び保護シート８の他端側を支持するようになっている。この第２の支持フレーム１５の両端部の上部には舌片部１５ａがそれぞれ形成されている。
【００３２】
サイドフレーム１６ａ，１６ｂは、棒状光源１０を配置しない側面で且つ対向する導光板４の側面４ｄ，４ｅにそれぞれ配置される板状部材であり、その一端側に第１の支持フレーム１４の固定部１４ｃにねじ止めされる第１の舌片部２３が形成されており、その他端側の上部に第２の支持フレーム１５の舌片部１５ａにねじ止めされる第２の舌片部２４が形成されている。ここで、サイドフレーム１６ａ，１６ｂの背面には、液晶表示パネルユニット取付部材１７ａ，１７ｂを固定するための舌片状突起２５がそれぞれ４箇所形成されている。
【００３３】
液晶表示パネルユニット取付部材１７ａ，１７ｂは、上記したサイドフレーム１６ａ，１６ｂの舌片状突起２５にねじ止めされるベース部２６と、このベース部２６から起立する側壁部２７と、この側壁部２７の上部に形成されて液晶表示パネルユニットの液晶表示パネル１２を位置決め・支持するパネル支持部２８とを備えている。ここで、パネル支持部２８には、液晶表示パネル１２のコーナーに係合する突起３０が形成されている。
【００３４】
補助フレーム１８は、薄板状に形成されており、液晶表示パネルユニット取付部材１７ａ，１７ｂと共に舌片状突起２５にねじ（図示せず）で固定され、フレーム２の強度を補強する。
【００３５】
このように分割されたフレーム２は、第１の支持フレーム１４にサイドフレーム１６ａ，１６ｂの一端側（第１の舌片部２３）をねじ（図示せず）で固定し、第２の支持フレーム１５にサイドフレーム１６ａ，１６ｂの他端側（第２の舌片部２４）をねじ（図示せず）で固定して、サイドフレーム１６ａ，１６ｂに液晶表示パネルユニット取付部材１７ａ，１７ｂと補助フレーム１８をねじ（図示せず）で固定することにより、各パーツ（１４〜１８）が一体的に組み付けられる。尚、フレーム２の各パーツは、ポリカーボネイト等の樹脂材料を射出成形することにより形成される。しかし、特に強度を要求される場合には、フレーム２のパーツが適宜金属材料で形成される。
【００３６】
このように構成された本実施の形態のサイドライト型面光源装置１は、棒状光源１０の光が導光板４の側面４ａから内部に取り入れられ、その光が導光板４内を伝播して導光板４の出射面４ｂから出射し、その出射した光が拡散シート５，第１のプリズムシート６，第２のプリズムシート７及び保護シート８を通過して液晶表示パネル１２を照らすようになっている。
【００３７】
以上のように、本実施の形態は、フレーム２が第１の支持フレーム１４，第２の支持フレーム１５，一対のサイドフレーム１６ａ，１６ｂ及び液晶表示パネルユニット取付部材１７ａ，１７ｂの各パーツに分割されており、これら各パーツを各別に成形することができるため、各パーツの成形が容易になると共に、各パーツを成形する金型の製作が容易になる。  又、本実施の形態は、上記のように、金型の製作が容易になり、金型の製作費用を低減することができるので、フレーム２の製作費用を低減することができ、このフレーム２を使用するサイドライト型面光源装置１及びこのサイドライト型面光源装置１を備えた液晶表示装置１３の価格の低廉化を図ることができる。
【００３８】
更に、本実施の形態は、液晶表示パネルユニット取付部材１７ａ，１７ｂがサイドフレーム１６ａ，１６ｂから分割された構成であるため、大きさが異なるサイドライト型面光源装置１にも液晶表示パネルユニット取付部材１７ａ，１７ｂを使用することが可能になる。即ち、本実施の形態によれば、液晶表示パネルユニット取付部材１７ａ，１７ｂを共通部品化することができる。
【００３９】
加えて、本実施の形態は、フレーム２を複数のパーツに分解して、各パーツを製作し易くしてあり、薄肉のパーツも容易に成形することが可能になるため、フレーム２の小型化・軽量化を図ることができ、ひいてはサイドライト型面光源装置１の小型化・軽量化を図ることができる。
【００４０】
尚、本実施の形態は、上記のように液晶表示パネルユニット取付部材１７ａ，１７ｂとサイドフレーム１６ａ，１６ｂとを各別に形成する構成を示したが、液晶表示パネルユニット取付部材１７ａ，１７ｂとサイドフレーム１６ａ，１６ｂを一体に形成するようにしてもよい。この場合は、フレーム２のパーツ点数を少なくすることができるが、パーツを共通部品化することができなくなる。
【００４１】
又、本実施の形態は、補助フレーム１８を使用する態様を示したが、フレーム２の他のパーツで十分な強度を確保できる場合、補助フレーム１８を省略することができる。
【００４２】
［第２の実施の形態］
図４は、本発明の第２の実施の形態に係るサイドライト型面光源装置３１の分解斜視図である。又、図５は、同サイドライト型面光源装置３１のフレーム３２の平面図である。又、図６は、同サイドライト型面光源装置３１の組立状態を示す断面図である。更に、図７は、同サイドライト型面光源装置３１の導光板３３の平面図である。
【００４３】
これらの図に示すように、フレーム３２の内部には、反射シート３，導光板３３及びシート束３４が順次重ねて収容されている。ここで、シート束３４は、拡散シート５，第１のプリズムシート６，第２のプリズムシート７及び保護シート８を順次重ねたものである（図６参照）。又、フレーム３２の内部には、くさび形状の導光板３３の一方の側面３３ａ側（図６中右側）に位置するように、棒状光源１０及びリフレクター１１が配置されている。更に、シート束３４の上面には、液晶表示パネルユニットの液晶表示パネル１２が配置されている。そして、本実施の形態のサイドライト型面光源装置３１と液晶表示パネル１２で液晶表示装置１３が構成される。尚、反射シート３及びシート束３４の構成は前記第１の実施の形態と同様である。
【００４４】
ここで、フレーム３２は、第１の支持フレーム１４，第２の支持フレーム３６，一対のサイドフレーム（液晶表示パネルユニット取付用フレーム）３７ａ，３７ｂに分割されており（図４参照）、これら各パーツが各別に形成された後に組み立てられるようになっている（図５，図６参照）。本実施の形態は、サイドフレーム３７ａ，３７ｂ及び第２の支持フレーム３６が導光板３３に直接固定され、第１の支持フレーム１４が導光板３３に固定されたサイドフレーム３７ａ，３７ｂに固定されるようになっている。尚、これらのパーツのうちで、前記第１の実施の形態と同様の構成は、同一符号を付し、その重複する説明を省略する。
【００４５】
導光板３３は、アクリル樹脂で形成されており、サイドライト型面光源装置３１を構成する部品の中で最も剛性の大きな部品である。この導光板３３は、図７に示すように、棒状光源１０が配置される側面３３ａに対向する側面３３ｂ側の両端部に、第２の支持フレーム３６を固定するための舌片状の支持フレーム取付用突起３８，３８がそれぞれ形成されている。又、導光板３３は、棒状光源１０が配置されない対向する側面（図７中上下の側面）３３ｃに、サイドフレーム３７ａ，３７ｂを取り付けるための板状のフレーム取付用突起４０，４０が形成されている。このフレーム取付用突起４０は、導光板３３の出射面３３ａに平行に形成されている。
【００４６】
一方、第２の支持フレーム３６は、反射シート３の他端側を支持する支持突起部４１と、上記導光板３３の支持フレーム取付用突起３８，３８に対応する位置に形成されたフレーム取付部４２とを備えている。
【００４７】
サイドフレーム３７ａ，３７ｂは、導光板３３のフレーム取付用突起４０に固定されるベース部４３と、導光板３３の側面を覆うように形成された側壁部４４とを備えており、この側壁部４４の上面に液晶パネルユニットの液晶表示パネル１２を支持するパネル支持部４５が形成されている。そして、パネル支持部４５には、液晶表示パネル１２の４隅を位置決めする位置決め用突起４６が形成されている。尚、第１の支持フレーム１４，第２の支持フレーム３６及び一対のサイドフレーム３７ａ，３７ｂは、ポリカーボネイト等の樹脂材料を射出成形することにより形成されている。しかし、特に強度を要求される場合には、フレーム３２のパーツが適宜金属材料で形成される。
【００４８】
このように構成された本実施の形態は、導光板３３の支持フレーム取付用突起３８に第２の支持フレーム３６のフレーム取付部４２をねじ４７で固定し、導光板３３のフレーム取付用突起４０にサイドフレーム３７ａ，３７ｂのベース部４３をねじ４８で固定し、サイドフレーム３７ａ，３７ｂの側壁部４４の一端側４４ａに第１の支持フレーム１４の固定部１４ｃを図外のねじで固定することにより、図５に示すようなフレーム３２が組み立てられる。
【００４９】
以上のように、本実施の形態は、フレーム３２が第１の支持フレーム１４，第２の支持フレーム３６，一対のサイドフレーム３７ａ，３７ｂの各パーツに分割されており、これら各パーツを各別に成形することができるため、前記第１の実施の形態と同様に、各パーツ及び各パーツを成形するための金型の製作が容易になる。したがって、本実施の形態は、前記第１の実施の形態と同様に金型の製作費用を低減することができ、サイドライト型面光源装置３１及びこのサイドライト型面光源装置３１を備えた液晶表示装置１３の低廉化を図ることができる。
【００５０】
又、本実施の形態は、サイドライト型面光源装置３１の構成部品のうちで最も剛性の大きな導光板３３にサイドフレーム３７ａ，３７ｂ及び第２の支持フレーム３６を固定し、導光板３３に固定したサイドフレーム３７ａ，３７ｂに第１の支持フレーム１４を固定するようになっているため、フレーム３２の各パーツ同士をそれぞれ固定する第１の実施の形態よりもフレーム３２の剛性を大きくすることができる。
【００５１】
加えて、本実施の形態は、フレーム３２を複数のパーツに分解して、各パーツを製作し易くしてあり、薄肉のパーツも容易に成形することが可能になるため、フレーム３２を小型化・軽量化することができ、ひいてはサイドライト型面光源装置３１の小型化・軽量化を図ることができる。
【００５２】
尚、本実施の形態は、第２の支持フレーム３６を導光板３３に固定する態様を示したが、図８に示すように、サイドフレーム３７ａの端部に舌片状の第１の固定部５０を形成し、第２の支持フレーム３６の両端部に舌片状の第２の固定部５１を形成し、これら第１の固定部５０と第２の固定部５１を図外のねじで固定するようにしてもよい。
【００５３】
又、前記第１の実施の形態及び第２の実施の形態において、サイドフレーム１６ａ，１６ｂ，３７ａ，３７ｂの一方と第１の支持フレーム１４をバネ等で弾性的に固定し、両者の相対移動を可能にすれば、導光板４，３３の熱変形を吸収することができるので、サイドフレーム１６ａ，１６ｂ，３７ａ，３７ｂ及び第２の支持フレーム１５，３６を導光板４，３３に密接させて、光の漏れを防止し、棒状光源１０の光を有効に利用することができる。
【００５４】
又、光源は、通常冷陰極管等の棒状光源１０が用いられるが、図９（ａ）に示すように、発光ダイオード等の点光源５２を複数配列して、これら複数の点光源５２を棒状光源１０の代わりに用いることができる。更に、光源は、図９（ｂ）に示すように、棒状の導光部材５３の側端５３ａ側に発光ダイオード等の点光源５４を配置し、この点光源５４から出射された光５５が導光部材５３内を伝播した後に導光部材表面５３ｂから出射するようにしたもの、換言すれば、点光源５４からの光を線光源として利用できるようにしたものを棒状光源１０の代わりに用いることができる。
【００５５】
【発明の効果】
以上のように、本発明は、サイドライト型面光源装置のフレームを複数のパーツに分割し、各パーツを別々に成形できるようになっているため、薄肉のフレーム全体を一体成形する従来例に比較し、フレームの製作が容易になる。
【００５６】
又、本発明は、フレーム製作用の金型も各パーツに対応させて小型化することができるため、金型自体の製作も容易になり、金型の製作費用の低廉化を図ることができる。
【００５７】
したがって、本発明によれば、サイドライト型面光源装置及びこのサイドライト型面光源装置を備えた液晶表示装置の小型化・軽量化の要望に応えることができることはもちろんのこと、価格の低廉化を図ることもできる。
【００５８】
更に、本発明は、フレームのパーツを粘着材料で導光板に固定するようなことがないので、粘着材料を原因とする光の漏れを防止できる。
【図面の簡単な説明】
【図１】本発明の第１の実施の形態を示すサイドライト型面光源装置の分解斜視図である。
【図２】同サイドライト型面光源装置のフレームの平面図である。
【図３】同サイドライト型面光源装置の組立状態を示す断面図である。
【図４】本発明の第２の実施の形態を示すサイドライト型面光源装置の分解斜視図である。
【図５】同サイドライト型面光源装置のフレームの平面図である。
【図６】同サイドライト型面光源装置の組立状態を示す断面図である。
【図７】同サイドライト型面光源装置の導光板の平面図である。
【図８】本発明の第２の実施の形態の応用例を示すフレームの部分的分解斜視図である。
【図９】本発明のサイドライト型面光源装置を構成する光源の他の実施の形態を示す斜視図である。図９（ａ）は他の第１の光源例を示す斜視図であり、図９（ｂ）は他の第２の光源例を示す斜視図である。
【図１０】従来技術のサイドライト型面光源装置の組立状態を示す断面図である。
【図１１】従来のフレームの平面図である。
【符号の説明】
１，３１……サイドライト型面光源装置、２……フレーム（枠体）、３……反射シート、４，３３……導光板、６……第１のプリズムシート、７……第２のプリズムシート、１０……棒状光源（光源）、１２……液晶表示パネル、１３……液晶表示装置、１４……第１の支持フレーム、１５，３６……第２の支持フレーム、１６ａ，１６ｂ……サイドフレーム、１７ａ，１７ｂ……液晶表示パネルユニット取付部材、３７ａ，３７ｂ……サイドフレーム（液晶表示パネルユニット取付用フレーム）、３８……支持フレーム取付用突起、４０……フレーム取付用突起、５２，５４……点光源（光源）
【図１】
0003812788.tif 000002
【図２】
0003812788.tif 000003
【図３】
0003812788.tif 000004
【図４】
0003812788.tif 000005
【図５】
0003812788.tif 000006
【図６】
0003812788.tif 000007
【図７】
0003812788.tif 000008
【図８】
0003812788.tif 000009
【図９】
0003812788.tif 000010
【図１０】
0003812788.tif 000011
【図１１】
0003812788.tif 000012